(57)【要約】【課題】ノズル付き容器を含む複数の容器を一体的に包装する包装材において、包装時および開封時の誤噴出を抑制するとともに、容器をがたつきの無い安定した状態で保持できる、容器の包装材を提供する。【解決手段】１つのノズル付き容器Ａと複数の付け替え用容器Ｂ，Ｃとを一体的に包装する、容器の包装材１０は、各容器が並んで載置される底壁１２と、前壁１４と、複数の開口部３０ａ，３０ｂ，３０ｃが形成される上壁１６と、第１後壁１８および第２後壁２０とを備える。ノズル付き容器に対応する１つの開口部３０ａは、容器の包装時または包装材からの容器の取出時に噴出ノズル１との干渉を回避するための開口延長部分３２を上壁１６から第２後壁２０にかけて有している。また、第１後壁１８の上部縁部には、包装された容器Ａ，Ｂ，Ｃの外周面に沿って当接する切欠部２３が形成されている。【選択図】図１
2015030510.tif 000002
【特許請求の範囲】
【請求項１】
内容物を噴出するノズルおよび噴出時に操作されるレバーを有する噴出ノズルが容器口部に水平方向へ張り出した状態で装着されている１つのノズル付き容器と、容器口部がキャップにより封止され前記キャップを前記噴出ノズルに付け替えることにより内容物を噴射して使用することができる複数の付け替え用容器とを一体的に包装する、容器の包装材であって、
前記各容器が並んで載置される底壁と、
前記底壁に連設され、前記各容器の前方側に配置される前壁と、
前記前壁に連設され、前記噴出ノズルおよび前記キャップが装着された前記各容器の上部を挿通した状態でそれぞれ露出させる複数の開口部が形成される上壁と、
前記底壁に連設され前記各容器を包装したときに前記前壁に対向配置される第１後壁、および、前記上壁に連設され前記第１後壁の外側に重なって配置される第２後壁と、を備え、
前記複数の開口部のうち前記ノズル付き容器に対応する１つの開口部は、前記容器の包装時または前記包装材からの前記容器の取出時に前記噴出ノズルとの干渉を回避するための開口延長部分を前記上壁から前記第２後壁又は前記前壁にかけて有しており、
また、前記第１後壁の上部縁部には、包装された前記容器の外周面に沿って当接する切欠部が形成されている、
容器の包装材。
【請求項２】
請求項１に記載の容器の包装材において、
前記第２後壁の縁部には係止突片が形成され、前記底壁と前記第１後壁との境界位置に係止切込が形成され、前記第２後壁が前記第１後壁の外側全体を覆った状態で前記係止突片を前記係止切欠に挿し込むことにより係止されることを特徴とする、容器の包装材。
【請求項３】
請求項２に記載の容器の包装材において、
前記係止突片の基端側に連続する第１後壁の部分および前記係止切込の端部位置に対応する底部の部分の少なくとも一方には、前記包装材を構成する厚紙の破断を容易するする破断容易化線が形成されていることを特徴とする、容器の包装材。
【請求項４】
請求項１に記載の容器の包装材において、
前記第２後壁の縁部には係止突片が形成され、前記第１後壁の中間位置に係止切込が形成されており、前記第２後壁が前記第１後壁の上部を覆った状態で前記係止突片を前記係止切欠に挿し込むことにより係止されることを特徴とする、容器の包装材。
【発明の詳細な説明】
【技術分野】
【０００１】
本発明は、容器の包装材に係り、特に、噴出ノズルが装着された１つのノズル付き容器とキャップで封止された複数の付け替え用容器とを一体的に包装する容器の包装材に関する。
【背景技術】
【０００２】
従来、例えば、洗剤、消毒剤、消臭剤等の内容物を収納した容器の口部に噴出ノズルが装着されたノズル付き容器と、同内容物を収納した容器であって口部がキャップで封止されている付け替え用容器とがセットで販売されることが行われている。これを購入したユーザは、先にノズル付き容器を使用し、ノズル付き容器の内容物が無くなれば、付け替え用容器のキャップを取り外して噴出ノズルを付け替えることで、付け替え用容器の内容物を使用することができる。
【０００３】
例えば、特許文献１には、同文献の図４等を参照すると、噴出ノズル付き容器と付け替え用容器とがペアパックに一体的に収容される様子が示されている。このペアパックは、２本の容器の胴部下側外周を囲む厚紙枠と、厚紙枠の下端に連設した底受片と、底受片を形成することによって厚紙枠の下側縁に生じた容器係止部とを有する。また、ペアパックによって包装された２本の容器の間には、仕切片が両端を厚紙枠に支持されて配置されている。そして、２つの容器がペアパックによって立てた状態で包装されたとき、容器の下部外周に形成される隆起部に上記容器係止部が係止して仕切片が押えられて安定する、と記載されている。
【先行技術文献】
【特許文献】
【０００４】
【特許文献１】特開２００３−２６１１６９号公報
【発明の概要】
【発明が解決しようとする課題】
【０００５】
上記特許文献１に記載されるペアパックでは、２本の容器の下部を収容し、容器外周の隆起部に厚紙枠の下側縁を係止することによってペアパックから容器が抜け出にくくしている。しかし、上記のような隆起部が容器下部の外周に形成されていない容器では、このような係止方法を用いることができない。
【０００６】
そこで、１本のノズル付き容器と例えば２本の付け替え用容器とを一体的に包装して販売する場合、包装材の上壁に上記３本の容器を挿通する開口部をそれぞれ形成し、容器上部において容器口部に向かって縮径する部分に上記各開口部の周縁を係合させることで、３本の容器を一体的に包装する包装材から容器が簡単に抜けないようにすることが考えられる。
【０００７】
しかしながら、この場合、ノズル付き容器を含む３本の容器を包装材で包装するとき、あるいは、それを購入したユーザが包装を解くとき、開口部の周縁が噴出ノズルのレバーに引っ掛かることで内容物が誤って噴出しないようにすることが必要である。
【０００８】
また、上記のように３本の容器を一体的に包装した包装材の内部で、容器ががたつかないように安定して保持されることが好ましい。
【０００９】
そこで、本発明の目的は、ノズル付き容器を含む複数の容器を一体的に包装する包装材において、包装時および開封時の誤噴出を抑制するとともに、容器をがたつきの無い安定した状態で保持することができる包装材を提供することである。
【課題を解決するための手段】
【００１０】
本発明に係る容器の包装材は、内容物を噴出するノズルおよび噴出時に操作されるレバーを有する噴出ノズルが容器口部に水平方向へ張り出した状態で装着されている１つのノズル付き容器と、容器口部がキャップにより封止され前記キャップを前記噴出ノズルに付け替えることにより内容物を噴射して使用することができる複数の付け替え用容器とを一体的に包装する、容器の包装材であって、前記各容器が並んで載置される底壁と、前記底壁に連設され、前記各容器の前方側に配置される前壁と、前記前壁に連設され、前記噴出ノズルおよび前記キャップが装着された前記各容器の上部を挿通した状態でそれぞれ露出させる複数の開口部が形成される上壁と、前記底壁に連設され前記各容器を包装したときに前記前壁に対向配置される第１後壁、および、前記上壁に連設され前記第１後壁の外側に重なって配置される第２後壁と、を備え、前記複数の開口部のうち前記ノズル付き容器に対応する１つの開口部は、前記容器の包装時または前記包装材からの前記容器の取出時に前記噴出ノズルとの干渉を回避するための開口延長部分を前記上壁から前記第２後壁にかけて有しており、また、前記第１後壁の上部縁部には、包装された前記容器の外周面に沿って当接する切欠部が形成されている。
【００１１】
本発明に係る容器の包装材において、前記第２後壁の縁部には係止突片が形成され、前記第底壁と前記第１後壁との境界位置に係止切込が形成され、前記第２後壁が前記第１後壁の外側全体を覆った状態で前記係止突片を前記係止切欠に挿し込むことにより係止されてもよい。
【００１２】
また、本発明に係る容器の包装材において、前記係止突片の基端側に連続する第１後壁の部分および前記係止切込の端部位置対応する底部の部分の少なくとも一方には、前記包装材を構成する厚紙の破断を容易するする破断容易化線が形成されていてもよい。
【発明の効果】
【００１３】
本発明に係る容器の包装材によれば、ノズル付き容器に対応する開口部に噴出ノズルとの干渉を回避するための開口延長部分が設けられているため、容器の包装時や包装材から容器を取り出すときに、噴出ノズルのレバーに開口部の周縁が引っ掛かって誤噴射するのを防止することができる。また、包装材によって一体的に包装された複数の容器は、上壁に形成された開口部の周縁が容器上部の外周面に係合するとともに、第１後壁の上部縁部に形成された湾曲形状の切欠部が係合することによって、がたつくことなく安定した包装状態を確保することができる。
【図面の簡単な説明】
【００１４】
【図１】１本のノズル付き容器および２本の付け替え用容器が第１実施形態の包装材で包装された様子を示す斜視図である。
【図２】第１実施形態の包装材の展開図である。
【図３】１本のノズル付き容器および２本の付け替え用容器が第２実施形態の包装材で包装された様子を示す斜視図である。
【図４】第２実施形態の包装材の展開図である。
【図５】１本のノズル付き容器および２本の付け替え用容器が第３実施形態の包装材で包装された様子を示す斜視図である。
【図６】第３実施形態の包装材の展開図である。
【図７】１本のノズル付き容器および２本の付け替え用容器が第４実施形態の包装材で包装された様子を示す斜視図である。
【図８】第４実施形態の包装材の展開図である。
【発明を実施するための形態】
【００１５】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１６】
以下においては、１本のノズル付き容器および２本の付け替え用容器を含む３本の容器を一体的に包装する包装材について例示するが、これに限定されるものではなく、１本のノズル付き容器と３本以上の付け替え用容器とを一体的に包装するものであってもよい。また、以下においては、ノズル付き容器が付け替え用容器に挟まれた状態で包装される例について説明するが、ノズル付き容器は容器並びの端位置であってもよい。
＜第１実施形態＞
【００１７】
図１は、１本のノズル付き容器Ａおよび２本の付け替え用容器Ｂ，Ｃが第１実施形態の包装材１０で包装された様子を示す斜視図である。図２は、包装材１０の展開図である。各容器Ａ，Ｂ，Ｃは、例えば、洗剤、消毒剤、消臭剤等の内容物を収容するボトル型容器であり、樹脂等よって形成されている。これらの容器Ａ，Ｂ，Ｃは、容器胴部が例えば扁平な楕円状の水平方向横断面をなし、扁平な方向が揃った状態で隣接して並べられて包装材１０により一体的に包装されている。
【００１８】
３本の容器Ａ，Ｂ，Ｃのうち１本は、容器口部に噴出ノズル１が装着されたノズル付き容器Ａである。噴出ノズル１は、内容物を噴出または噴射するノズル部２と、噴出時に操作されるレバー３とを備える。ノズル部２およびレバー３を含む噴出ノズル１は、水平方向である奥行き方向（矢印Ｙ方向）に張り出した状態で容器Ａに装着されている。ノズル１のレバー３が矢印Ｄ方向に操作されることによって、ノズル部２から内容物が泡状、霧状、または、糸状に噴出するようになっている。また、本実施形態の包装材１０は、ノズル部２およびレバー３を後方側（図１中の左下側）へ向けた状態でノズル付き容器Ａを包装するものである。
【００１９】
また、噴出ノズル１は、突出部（図示しない）を有するストッパ４を備える。ストッパ４は、図１に示される鉛直方向である高さ方向（矢印Ｚ方向）に沿った姿勢では突出部がレバー３の背面に当接することによって、レバー３が矢印Ｄ方向に揺動しないように規制し、意図せず内容物がノズル部２から噴出しないようにしてある。他方、ストッパ４を水平方向に沿う姿勢に回動操作すると、上記突出部が外れることでレバー３を矢印Ｄ方向に操作することで内容物がノズル部２から噴出できる状態にできる。
【００２０】
ノズル付き容器Ａの両側に並んで配置されている２本の付け替え用容器Ｂ，Ｃは、例えば、ねじ込み式のキャップ５によって容器口部が封止されている。ユーザが内容物の無くなった容器Ａから噴出ノズル１を取り外し、キャップ５を取り外した容器ＢまたはＣに付け替えることにより、容器ＢまたはＣの内容物を噴出させて使用することができる。
【００２１】
上記３本の容器Ａ，Ｂ，Ｃを一体的に包装する包装材１０は、適当な強度を有する厚紙によって構成することができる。包装材１０は、図１，２に示すように、厚紙基材から一体に打ち抜き加工されたものを折り曲げ等することによって形成することができる。
【００２２】
包装材１０は、底壁１２と、前壁１４と、上壁１６と、第１後壁１８と、第２後壁２０とが一体に連設されて構成されている。図２において、包装材１０が容器Ａ，Ｂ，Ｃを包装した状態に組み立てられるときに折り曲げられる折曲線が破線で示されている。
【００２３】
また、包装材１０の側縁部には、帯状の補強部分２４，２６が一体に連設されている。補強部分２４，２６は、各壁１２〜２０の連設方向に沿って延びている。図２において、補強部分２４，２６を画定する折り返し線が一点鎖線で示されている。ここで、底壁１２の両端側に位置する側縁部は、後述するように底面に対して略垂直に折り曲げられて低い側壁２４ａ，２６ａを形成することになる。
【００２４】
包装材１０の底壁１２は、３本の容器Ａ，Ｂ，Ｃが載置される部分である。底壁１２には、前壁１４と第１後壁１８とが連設されている。そして、底壁１２と第１後壁１８との間の境界線に沿って係止切込３３が形成されている。この係止切込３３は、後述する第２後壁２０に突設された係止突片２１が挿し込まれて係止されるものである。
【００２５】
本実施形態では、係止切込３３の両側端部から延びる破断容易化線３４，３４が底壁１２に形成されている。破断容易化線３４，３４は、例えばミシン目線によって形成することができる。このように破断容易化線３４，３４を係止切込３３の両側に設けることによって、ユーザが包装材１０を開封して容器Ａ，Ｂ，Ｃを取り出す際に係止切込３３に指を掛けて裂くことにより係止突片２１の係止解除を容易に行うことができる。
【００２６】
ただし、上記判断容易化線３４は、係止切込３３の一方端部側だけに設けてもよいし、あるいは、省略してもよい。
【００２７】
前壁１４は、第１後壁１８の反対側において底壁１２に連設されている。包装材１０の外側表面（すなわち容器Ａ，Ｂ，Ｃと対向する内面とは反対側の面）となる前壁１４の表面は、内容物を含む容器の商品名やメーカーをロゴマーク等が印刷された主表示面となっており、店舗において商品棚に陳列されるときの正面となる。このような表示機能を効果的なものにするため、前壁１４は、貫通孔や切欠などが形成されていないことが好ましい。また、商品の正面となる前壁１４側にノズル付き容器Ａの噴出ノズル１のノズル部２が配置されていないので、店頭で商品を見ている人に誤噴射の被害が生じにくい。
【００２８】
上壁１６は、底壁１２の反対側において前壁１４に連設されている。上壁１６は、包装材１０として組み立てられたときに容器本体部の上方を覆う部分である。上壁１６には、３本の容器Ｂの上部を挿通して露出させる３つの開口部３０ａ，３０ｂ，３０ｃが横に並んで形成されている。このうち、両側に位置する２つの開口部３０ｂ，３０ｃは、付け替え用容器Ｂ，Ｃに対応するものであり、略楕円状をなしている。
【００２９】
これに対し、上壁１６の幅方向（図１中の矢印Ｘ方向）の中央領域に形成される開口部３０ａは、ノズル付き容器Ａに対応するものであり、他の開口部３０ｂ，３０ｃと同様の略楕円状の部分を有するのに加えて、上壁１６から第２後壁２０にかけて延びる開口延長部分３２を有している。この開口延長部分３２は、メーカーが容器Ａ，Ｂ，Ｃを包装材１０で包装するとき、および、ユーザが包装材１０からの容器Ａ，Ｂ，Ｃを取り出すときに、開口部３０ａの周縁部がノズル付き容器Ａの噴出ノズル１（特にレバー３）と干渉しないようにするためのものである。人目を引くようにアイキャッチラベル又はＰＯＰシールと称する販促用ラベルを噴出ノズル１の側面に貼り付ける場合があり、その場合には開口延長部分３２の開口寸法を大きくして、包装材１０による容器Ａ，Ｂ，Ｃの包装作業時にラベルが支障にならないようにするとよい。なお、ノズル付き容器Ａについて誤噴射の問題が生じないように、噴出ノズル１に誤噴射の防止機能が付加されて対策が施されている場合には、商品の正面となる前壁側に噴出ノズル１を向けた状態でノズル容器を配置し、上記開口延長部分３２を上壁１６から前壁１４にかけて延びるように形成してもよい。
【００３０】
第２後壁２０は、前壁１４の反対側において上壁１６に連設されている。第２後壁２０は、包装材１０が容器Ａ，Ｂ，Ｃを包装した状態に組み立てられたとき、第１後壁１８の外側に重なって又は覆って配置される。第２後壁２０の幅方向中央の縁部には、略台形状をなす係止突片２１が一体に形成されている。なお、第２後壁２０は、前壁１４とほぼ同じ大きさに形成され、その表面には容器Ａ，Ｂ，Ｃに収容された内容物の用途、成分、使い方、使用上の注意等が印刷表示されている。
【００３１】
上記第１後壁１８には、底壁１２の反対側において支持部２２が連設されている。この支持部２２は、図１に示すように、包装材１０が組み立てられたときに第１後壁１８の上部を構成する部分である。そして、支持部２２の縁部には、３本の容器Ａ，Ｂ，Ｃに対応して３つの湾曲形状の切欠部２３が形成されている。この切欠部２３は、包装される各容器Ａ，Ｂ，Ｃの傾斜した外周面に当接することにより、包装されている容器Ａ，Ｂ，Ｃをがたつき無く安定した状態に保持する機能を有する。特に、開口部３０ａの開口延長部分３２に対応する切欠部２３は、ノズル付き容器Ａを安定して保持するうえで重要である。
【００３２】
上記補強部分２４，２６は、予め一点鎖線で示す折返線に沿って包装材１０の内側に折り返されて、第１後壁１８、前壁１４、上壁１６、および、第２後壁２０にそれぞれ接着剤等で貼着されるのが好ましい。これにより、包装材１０の両側縁部が折り返された二重の厚紙で構成されるので、容器Ａ，Ｂ，Ｃを包装した包装材１０の縁部をつかんで持ち上げる際に包装材１０が縁部から裂けるのを防止することができる。
【００３３】
ただし、底壁１２の両端に位置する側縁部は貼着することなく図１に示すように底壁１２に対して略垂直をなして折り曲げた状態として、低い側壁２４ａ，２６ａを形成している。これにより、包装された容器Ｂ，Ｃの下部が包装材１０の両側からはみ出すのを防止することができる。
【００３４】
なお、補強部分２４，２６は、必ずしも設けなくもよく、二重にしなくても３本の容器の重量を支えられる十分な強度を有する場合等には省略してもよい。これにより、包装材１０に用いられる厚紙材料を減らすことができ、製造コストを低減することができる。
【００３５】
続いて、上記構成からなる包装材１０で容器Ａ，Ｂ，Ｃを包装するときの手順、および、開封するときの手順について説明する。
【００３６】
メーカーまたは販売業者において、包装材１０の底壁１２上に１本のノズル付き容器と２本の付け替え用容器Ｂ，Ｃとを並べて置く。そして、第１後壁１８および前壁１４を底壁１２に対して略鉛直方向に折り曲げて各容器Ａ，Ｂ，Ｃに沿わせた状態とする。
【００３７】
次に、上壁１６および第２後壁２０を前壁１４に対して折り曲げるとともに、各容器Ａ，Ｂ，Ｃの上部を上壁１６の開口部３０ａ，３０ｂ，３０ｃにそれぞれ挿通させる。このとき、上壁１６から第２後壁２０にかけて形成されている開口部３０ａを介して噴出ノズル１を挿通させることができるので、包装作業が容易に行うことができる。
【００３８】
そして、第２後壁２０を上壁１６に対して折り曲げて第１後壁１８に沿った姿勢とし、第２後壁２０の係止突片２１を折り曲げた状態として底壁の縁に形成されている係止切込３３に挿し込む。係止突片２１は一旦挿し込まれると係止切欠３３の両端部に引っ掛かる形状となっているため、容易に抜け出ることはない。これにより、包装材１０による３本の容器Ａ，Ｂ，Ｃの包装が完了する。なお、セロハンテープ等で係止突片２１が係止切込３３からより確実に抜けないように接着してもよい。
【００３９】
他方、３本パックの容器Ａ，Ｂ，Ｃを購入したユーザは、まず、（セロハンテープがある場合にはそれを剥がしてから）係止突片２１を係止切込３３から抜く。このとき、ユーザは、係止切込３３に指をかけて破断容易化線３４に沿って底壁１２を容易に裂くことができ、係止突片２１の係止状態の解除を容易に行うことができる。
【００４０】
そして、ユーザは、第２後壁２０および上壁１６を持ち上げて、開口部３０ａ，３０ｂ，３０ｃに各容器Ａ，Ｂ，Ｃの上部を通して包装材１０を開いて各容器Ａ，Ｂ，Ｃを露出した状態とする。このとき、ノズル付き容器Ａに対応する開口部３０ａは、噴出ノズル１のレバー３に干渉しないように開口延長部分３２が設けられていることから、上壁１６を開くときに開口部３０ａの周縁がレバー３に引っ掛かって内容物が誤噴射されることがない。このようにしてユーザは、露出したノズル付き容器Ａ等を包装材１０から取り出して、使用することができる。
【００４１】
上述したように本実施形態の容器の包装材１０によれば、ノズル付き容器Ａおよび付け替え用容器Ｂ，Ｃを包装するとき、および、包装材１０から容器Ａを取り出すときに、開口部３０ａの周縁が噴出ノズル１に引っ掛かりにくく、包装作業が容易になるともに誤噴出を防止できる。
【００４２】
また、本実施形態の包装材１０では、容器Ａ，Ｂ，Ｃを包装した状態に組み立てられたときに第１後壁１８の上部を構成する支持部２２に形成された切欠部２３が３本の容器Ａ，Ｂ，Ｃ傾斜した外周面に当接することにより、包装されている容器Ａ，Ｂ，Ｃをがたつき無く安定した状態に保持することができる。特に、開口部３０ａの開口延長部分３２に対応する切欠部２３は、ノズル付き容器Ａを安定して保持するうえで重要な保持機能を果たす。
【００４３】
また、本実施形態の包装材１０では、第２後壁２０の略全体が包装材１０の後側表面を形成するので、用途、使い方、使用上の注意等の表示面を見易くかつすっきりとした外観とすることができる。加えて、この包装材１０によれば、包装状態で第１後壁１８と第２後壁２０が重なって二重壁構造になり、全体を補強でき保形性が優れている利点がある。
【００４４】
さらに、包装材１０の係止切込３３の両端部位置に破断容易化線３４が形成されており、底壁１２が破断し易くなっていることで、包装材１０の開封作業を容易に行うことができる。
【００４５】
＜第２実施形態＞
次に、図３および図４を参照して、第２実施形態の容器の包装材１０Ａについて説明する。図３は、１本のノズル付き容器Ａおよび２本の付け替え用容器Ｂ，Ｃが第２実施形態の包装材１０Ａで包装された様子を示す斜視図である。図４は、包装材１０Ａの展開図である。この包装材１０Ａは、第１実施形態と略同一の構成を有しているため、同一構成要素に同一符号を付して重複説明を行わないこととし、ここでは主として相違点についてのみ説明する。
【００４６】
包装材１０Ａは、図３および図４に示すように、係止突片２１の基端側に連続する部分に例えばミシン目線からなる２本の破断容易化線３６が開口延長部分３２にまで延びて形成されている。そして、開口延長部分３２に臨む部分が摘み部３７となっている。この場合、第１実施形態の包装材１０において係止切込３３の両端部側に形成されていた破断容易化線３４を省略してもよい。包装材１０Ａの他の構成は、上記第１実施形態の包装材１０と同様である。
【００４７】
第２実施形態の包装材１０Ａでは、包装を解いてノズル付き容器Ａを取り出そうとするユーザは、摘み部３７を持って引っ張ることで破断容易化線３６に沿って第２後壁２０が裂ける。これにより、係止突片２１を係止切込３３から抜くことなく、包装材１０の開封を容易に行うことができる。他の利点については、上記第１実施形態の場合と同様である。
【００４８】
＜第３実施形態＞
【００４９】
次に、図５および図６を参照して、第３実施形態の容器の包装材１０Ｂについて説明する。図５は、１本のノズル付き容器Ａおよび２本の付け替え用容器Ｂ，Ｃが第３実施形態の包装材１０Ｂで包装された様子を示す斜視図である。図６は、包装材１０Ｂの展開図である。この包装材１０Ｂは、第１実施形態と略同一の構成を有しているため、同一構成要素に同一符号を付して重複説明を行わないこととし、ここでは主として相違点についてのみ説明する。
【００５０】
本実施形態の包装材１０Ｂでは、係止切込１９が第１後壁１８の高さ方向（矢印Ｚ方向）の中間位置に形成され、これに応じて係止突片２１が設けられた第２後壁２０の高さ方向に沿った長さも第１実施形態よりも短く形成されている。包装材１０Ｂの他の構成は、第１実施形態の包装材１０と同じである。
【００５１】
本実施形態の包装材１０Ｂによれば、第２後壁２０に対して係止突片２１を折り曲げることなく、第１後壁１８の係止切込１９に抜き差しすることができ、包装材１０Ｂの組み立ておよび開封が容易に行えるという利点がある。また、この包装材１０Ｂによれば、包装材１０，１０Ａに比べて包装材の全長を短くでき、材料コストを削減できる利点がある。なお、第２後壁２０の開口部３０ａに関する作用効果は第１実施形態の包装材１０と同様である。
【００５２】
＜第４実施形態＞
【００５３】
次に、図７および図８を参照して、第４実施形態の容器の包装材１０Ｃについて説明する。図７は、１本のノズル付き容器Ａおよび２本の付け替え用容器Ｂ，Ｃが第４実施形態の包装材１０Ｃで包装された様子を示す斜視図である。図８は、包装材１０Ｃの展開図である。この包装材１０Ｃは、第１実施形態の包装材１０と同一構成要素に同一符号を付して重複説明を行わないこととし、ここでは主として相違点についてのみ説明する。
【００５４】
包装材１０Ｃにおいて、前壁１４の幅方向両側には側壁４０，４２が連設されており、側壁４２には前壁１４の反対側に第１後壁１８が連設されている。側壁４０，４２には側方支持部４１が連設され、包装材１０Ｃが箱状に折り曲げ形成されたとき、両側の容器Ｂ，Ｃの容器胴部の外周面に沿って当接する支持切欠部４４が形成されている。
【００５５】
また、第１後壁１８には、各容器Ａ，Ｂ，Ｃに対応する３本のＩ字状の切込４６が形成されている。これらの切込４６は、包装材１０Ｃによって３本の容器Ａ，Ｂ，Ｃが包装されたとき前壁１４によって押される容器胴部が食い込むことにより若干押し広げられ、その結果、容器Ａ，Ｂ，Ｃの幅方向の位置決め機能を果たす。
【００５６】
また、前壁１４、側壁４０，４２、および、第１後壁１８には、底壁構成部分１２ａ，１２ｂ，１２ｃ，１２ｄがそれぞれ連設されており、包装材１０Ｃが箱状に折り曲げ形成されたとき上記各底壁構成部分１２ａ，１２ｂ，１２ｃ，１２ｄが重ね合わせ及び／又は貼着等によって接続されて底壁１２が形成されるようになっている。
【００５７】
さらに、開口部３０ａ，３０ｂ，３０ｃの幅方向の両側縁部には、支持突片３１が互いに対向して設けられている。これらの支持突片３１は、上壁１６に対して略垂直に内側へ折り曲げられて包装材１０Ｃ内で容器Ａ，Ｂ，Ｃの上部外周面を両側から保持する機能を果たす。
【００５８】
なお、包装材１０Ｃの他の構成は、上記第１実施形態の包装材１０と同じである。
【００５９】
本実施形態の包装材１０Ｃによれば、幅方向両側に側壁４０，４２が設けられて容器Ｂ，Ｃの側方が覆われることで、包装材１０Ｃからの容器Ａ，Ｂ，Ｃがはみ出すのをより確実に抑制できる。また、支持切欠部４４および支持突片３１によって容器Ａ，Ｂ，Ｃをより一層がたつきなく安定保持することができる。
【００６０】
なお、本発明に係る容器の包装材は、上述した第１ないし第４実施形態の構成に限定されるものではなく、特許請求の範囲に記載された事項およびその均等な範囲で種々の改良や変更が行われてもよいことは勿論である。
【００６１】
例えば、上記各実施形態では、ノズル付き容器Ａの噴出ノズル１のノズル部２を後壁１８，２０側に向けて包装するものとして説明したが、これに限定されるものではない。噴出ノズル１に誤噴射の防止機能が付加されている場合には、商品の正面となる前壁１４側にノズル部２を向けた状態でノズル付き容器Ａを包装するものとしてもよい。
【符号の説明】
【００６２】
１  噴出ノズル、２  ノズル部、３  レバー、４  ストッパ、５  キャップ、１０，１０Ａ，１０Ｂ，１０Ｃ  包装材、１２  底壁、１２ａ，１２ｂ，１２ｃ，１２ｄ  底壁構成部分、１４  前壁、１６  上壁、１８  第１後壁、１９，３３  係止切込、２０  第２後壁、２１  係止突片、２２  支持部、２３  切欠部、２４，２６  補強部分、３０ａ，３０ｂ，３０ｃ  開口部、３１  支持突片、３２  開口延長部分、３４，３６  破断容易化線、３７  摘み部、４０，４２  側壁、４１  側方支持部、４４  支持切欠部、４６  切込、Ａ  ノズル付き容器、Ｂ，Ｃ  付け替え用容器、Ｄ，Ｘ，Ｙ，Ｚ  矢印。
【図１】
2015030510.tif 000003
【図２】
2015030510.tif 000004
【図３】
2015030510.tif 000005
【図４】
2015030510.tif 000006
【図５】
2015030510.tif 000007
【図６】
2015030510.tif 000008
【図７】
2015030510.tif 000009
【図８】
2015030510.tif 000010